(57)【要約】【課題】発光表示部の受光面における照度の均一化を図ることができる遊技機を提供。【解決手段】リール２２は、リールテープ６４とバックライト６６とを備える。バックライト６６Ｂは、光源である発光ダイオード２０１と、発光ダイオード２０１からの光を反射する反射部材としてのリフレクタ２０２と、を備える。リフレクタ２０２の隔壁２１３は、前方に向かうにしたがい開口領域２１４の中心部から離れる方向に傾斜して設けられるとともに、後方側に位置する第１反射面部２１６と、この第１反射面部２１６よりも前方側に位置する第２反射面部２１７と、を有する。第１反射面部２１６と第２反射面部２１７とは、互いの反射率および反射方向の少なくとも一方が相違することで反射光の強さを調整可能に構成されている。【選択図】図１５
2019118403.tif 000002
【特許請求の範囲】
【請求項１】
光を照射する光源と、光源からの光を反射する反射部材と、この反射部材の前方を覆って光を受ける受光面と、を備えた遊技機であって、
前記反射部材は、前方側に開口する開口領域を形成する壁面を有し、前記開口領域の底部に前記光源が配置され、前記光源から照射された光が前記壁面に反射して前記受光面に向かうように構成され、
前記壁面は、前方に向かうにしたがい前記開口領域の中心部から離れる方向に傾斜して設けられるとともに、後方側に位置する第１反射面部と、この第１反射面部よりも前方側に位置する第２反射面部と、を有し、
前記第１反射面部と前記第２反射面部とは、互いの反射率および反射方向の少なくとも一方が相違することで反射光の強さを調整する調光手段を有して構成されている
ことを特徴とする遊技機。
【請求項２】
請求項１に記載された遊技機において、
前記第１反射面部には、前記開口領域の中心方向に向かって反射する反射光を減少させる減光手段が設けられている
ことを特徴とする遊技機。
【請求項３】
請求項２に記載された遊技機において、
前記減光手段は、前記第１反射面部が前記開口領域の内方に向かって凹となる凹面で形成されることにより構成されている
ことを特徴とする遊技機。
【請求項４】
請求項１から請求項３のいずれかに記載された遊技機において、
前記第２反射面部には、前記開口領域における前記壁面に近い周辺方向に向かって反射する反射光を増加させる増光手段が設けられている
ことを特徴とする遊技機。
【請求項５】
請求項４に記載された遊技機において、
前記増光手段は、前記第２反射面部が前記開口領域の内方に向かって凸となる凸面で形成されることにより構成されている
ことを特徴とする遊技機。
【発明の詳細な説明】
【技術分野】
【０００１】
本発明は、スロットマシン等に代表される遊技機に関する。
【背景技術】
【０００２】
従来、遊技機の代表例として例えばスロットマシンやパチンコ機がある。例えば、スロットマシンは、回胴式表示装置（リールユニット）を備え（例えば、特許文献１参照）、このリールユニットは、それぞれ独立してモータによって回転駆動される左、中、右のリールと、各リールのリールテープ（受光面)を内側から照らす左、中、右のバックライトと、を備えた発光表示部として機能する。各バックライトは、前方側に開口した箱形状の内部が２つの隔壁によって上、中、下の三段の開口領域に仕切られたリフレクタ（反射部材）と、各開口領域の底部に設けられた発光ダイオード（光源）と、を備えている。このようなリールユニットでは、各リールがすべて停止している状態において、左、中、右のバックライトによって照らされた各リールテープの上、中、下の三段の図柄（すなわち３×３＝９個の図柄）が遊技者に視認可能な状態となる。
【先行技術文献】
【特許文献】
【０００３】
【特許文献１】特開２０１１−７８６０２号公報
【発明の概要】
【発明が解決しようとする課題】
【０００４】
しかしながら、従来の発光表示部におけるバックライトでは、反射部材の開口領域を形成する壁面（反射面）が平面からなり、この反射面が一定の反射率を有した材料から構成されることが一般的であり、リールテープ等の受光面における照度を均一にするのが困難であった。すなわち、例えば、受光面の照度としては、光源が設けられた開口領域の中心側が明るく、隔壁に近い周辺部が暗くなる傾向があり、従来のような平面状の反射面を有した反射部材では、このような照度の偏りを補正することが難しかった。
【０００５】
本発明の目的は、発光表示部の受光面における照度の均一化を図ることができる遊技機を提供することである。
【課題を解決するための手段】
【０００６】
すなわち、請求項１に記載の発明は、
光を照射する光源と、光源からの光を反射する反射部材と、この反射部材の前方を覆って光を受ける受光面と、を備えた遊技機であって、
前記反射部材は、前方側に開口する開口領域を形成する壁面を有し、前記開口領域の底部に前記光源が配置され、前記光源から照射された光が前記壁面に反射して前記受光面に向かうように構成され、
前記壁面は、前方に向かうにしたがい前記開口領域の中心部から離れる方向に傾斜して設けられるとともに、後方側に位置する第１反射面部と、この第１反射面部よりも前方側に位置する第２反射面部と、を有し、
前記第１反射面部と前記第２反射面部とは、互いの反射率および反射方向の少なくとも一方が相違することで反射光の強さを調整する調光手段を有して構成されている
ことを特徴とする遊技機である。
【発明の効果】
【０００７】
このような本発明に係る遊技機によれば、光源から照射されて壁面の第１反射面部および第２反射面部で反射して受光面に向かう光が調光手段によって調整されるので、開口領域の中心部と周辺部との受光面における光量が調整され、受光面における照度の均一化を図ることができる。
【図面の簡単な説明】
【０００８】
【図１】本発明の一実施形態におけるスロットマシンの斜視図である。
【図２】スロットマシンの正面図である。
【図３】前面扉を開いた状態のスロットマシンの斜視図である。
【図４】前面扉の背面図である。
【図５】筐体の正面図である。
【図６】スロットマシンのリールユニットを示す断面図である。
【図７】リールユニットの１つのリールを示す斜視図である。
【図８】リールにおける第１実施形態のバックライトを示す断面図である。
【図９】（Ａ）、（Ｂ）は、第１実施形態のバックライトを示す正面図および断面図である。
【図１０】第１実施形態のバックライトを示す斜視図である。
【図１１】第１実施形態のバックライトの一部を拡大して示す断面図である。
【図１２】リールにおける第２実施形態のバックライトを示す断面図である。
【図１３】（Ａ）、（Ｂ）は、第２実施形態のバックライトを示す正面図および断面図である。
【図１４】第２実施形態のバックライトを示す斜視図である。
【図１５】第２実施形態のバックライトの一部を拡大して示す断面図である。
【図１６】（Ａ）、（Ｂ）は、本発明の変形例に係る発光表示部に用いられるバックライトを示す正面図および断面図である。
【図１７】本発明の他の変形例に係るバックライトを示す斜視図である。
【図１８】（Ａ）、（Ｂ）は、本発明のさらに他の変形例に係るバックライトを示す断面図である。
【図１９】本発明のさらに他の変形例に係るバックライトを示す断面図である。
【図２０】本発明のさらに他の変形例に係るバックライトを示す斜視図である。
【発明を実施するための形態】
【０００９】
以下、本発明の実施形態について、添付図面を参照して説明する。以下では、本発明を遊技機の一種である回胴式遊技機、具体的にはスロットマシン１０に適用した場合の一実施形態について説明する。図１は、スロットマシン１０の斜視図であり、図２は、スロットマシン１０の正面図であり、図３は、前面扉１２を開いた状態のスロットマシン１０の斜視図であり、図４は、前面扉１２の背面図であり、図５は、筐体１１の正面図である。
【００１０】
〔遊技機の全体構造〕
図１から図５に示すように、スロットマシン１０は、その外殻を形成する筐体１１を備えている。筐体１１は、木製のパネルを組み合わせて、全体として前面を開放した箱状に形成されており、遊技ホールへの設置の際にいわゆる島設備に対し釘を打ち付ける等して取り付けられる。なお、筐体１１は、木製のパネルによって構成されるものに限らず、合成樹脂製パネルまたは金属製パネルによって構成されてもよいし、合成樹脂材料または金属材料によって一体の箱状に形成されたものでもよい。筺体１１の側面上部には、筺体１１の内部から外部に通じる開口１１ａが貫通形成されている。筺体１１の側面下部には、スロットマシン１０を運搬する際に利用される取手部１１ｂが設けられている。
【００１１】
筐体１１の前面側には、前面扉１２が開閉可能に取り付けられている。すなわち、筐体１１には、その正面から見て左側部に上下三箇所の支軸１３ａ，１３ｂ，１３ｃ（図５参照）が設けられており、前面扉１２には、各支軸１３ａ，１３ｂ，１３ｃと対応する位置に軸受部１４ａ，１４ｂ，１４ｃ（図４参照）が設けられている。そして、各軸受部１４ａ，１４ｂ，１４ｃに各支軸１３ａ，１３ｂ，１３ｃが挿入された状態では、前面扉１２が筐体１１に対して各支軸１３ａ，１３ｂ，１３ｃを結ぶ上下方向に延びる開閉軸線を中心として回動可能に支持され、前面扉１２の回動によって筐体１１の前面開放側を開放したり閉鎖したりすることができるようになっている。
【００１２】
また、前面扉１２において開閉軸の反対側（正面から見て右側）には、その背面に施錠装置１５が設けられ、筐体１１における施錠装置１５に対応した位置には錠受部１６が設けられている。この施錠装置１５は、筐体１１に対して閉鎖した前面扉１２を開放不能な施錠状態とするものである。前面扉１２の前面右端部には、施錠装置１５と一体化されたキーシリンダ１７が設けられており、キーシリンダ１７に対する所定のキー操作によって施錠装置１５の施錠状態と解錠状態とが切り替えられるように構成されている。すなわち、キーシリンダ１７をキー操作することにより、施錠装置１５を錠受部１６に係合させて施錠状態とすることで、前面扉１２が開放不能となり、施錠装置１５と錠受部１６との係合を解除して解錠状態とすることで、前面扉１２が開放可能となる。なお、キーシリンダ１７としては、不正解錠防止機能の高いオムロック（登録商標）が用いられている。
【００１３】
前面扉１２の前面中央部には、遊技に関する情報を表示するための遊技パネル２０が設けられている。遊技パネル２０は、合成樹脂材料から透明に構成されており、遊技パネル２０を通じてスロットマシン１０の内部が視認可能となっている。この遊技パネル２０に対応した前面扉１２の背面側には、図３、４に示すように、回胴式表示装置（発光表示部）であるリールユニット２１が取り付けられている。リールユニット２１は、後述する主中継基板７１から延びる電力の分配配線（不図示）や信号線（不図示）を接続するためのコネクタ２１ａ，２１ｂを備え、主制御装置９０によってリールユニット２１の動作が制御されるようになっている。
【００１４】
リールユニット２１は、円筒状（円環状）にそれぞれ形成された左リール２２Ｌ，中リール２２Ｍ，右リール２２Ｒを備えている。各リール２２Ｌ，２２Ｍ，２２Ｒは、その中心軸線が当該リールの回転軸線となるように回転可能に支持されている。各リール２２Ｌ，２２Ｍ，２２Ｒの回転軸線は略水平方向に延びる同一軸線上に配設され、各リール２２Ｌ，２２Ｍ，２２Ｒの表面の一部は遊技パネル２０を通じて視認可能な状態となっている。また、各リール２２Ｌ，２２Ｍ，２２Ｒが正回転すると、遊技パネル２０を通じて各リール２２Ｌ，２２Ｍ，２２Ｒの表面は上から下へ向かって移動しているかのように視認される。
【００１５】
ここで、リールユニット２１の構成を簡単に説明する。各リール２２Ｌ，２２Ｍ，２２Ｒは、それぞれがステッピングモータ６２（後述する図６、７参照）に連結されており、各ステッピングモータの駆動により各リール２２Ｌ，２２Ｍ，２２Ｒが個別に、すなわちそれぞれ独立して回転駆動し得る構成となっている。ステッピングモータ６２は、例えば５０４パルスの駆動信号（以下、励磁パルスとも言う）を与えることにより１回転されるように設定されており、この励磁パルスによってステッピングモータ６２の回転位置、すなわちリールの回転位置が制御される。また、リールユニット２１には、リールが１回転したことを検出するためのリールインデックスセンサ６５（後述する図６、７参照）が各リール２２Ｌ，２２Ｍ，２２Ｒに設置されている。そして、リールインデックスセンサ６５からは、リールが１回転したことを検出した場合、その検出の都度、後述する主制御装置９０に検出信号が出力されるようになっている。このため主制御装置９０は、リールインデックスセンサ６５の検出信号と、当該検出信号が入力されるまでに出力した励磁パルス数とに基づいて、各リール２２Ｌ，２２Ｍ，２２Ｒの角度位置を１回転毎に確認するとともに補正することができる。
【００１６】
各リール２２Ｌ，２２Ｍ，２２Ｒの外周面には、リールテープ６４（後述する図６参照）が貼り付けられている。リールテープ６４の長辺方向（周回方向）に識別情報としての図柄が複数個、具体的には、各リール２２Ｌ，２２Ｍ，２２Ｒ毎に、２１個の図柄が等間隔に描かれており、そのうち連続する３個の図柄が遊技パネル２０の上段、中段、下段の位置にそれぞれ視認可能に構成されている。このため、所定の位置においてある図柄を次の図柄へ切り替えるには、２４パルス（＝５０４パルス÷２１図柄）の励磁パルスの出力を要する。また、主制御装置９０は、リールインデックスセンサ６５の検出信号が入力されてから出力した励磁パルス数により、遊技パネル２０から視認可能な状態となっている図柄を把握したり、遊技パネル２０から視認可能な位置に所定の図柄を停止させたりする制御を行うことができる。
【００１７】
図１、２に示すように、遊技パネル２０の下方左側には、各リール２２Ｌ，２２Ｍ，２２Ｒの回転を開始させるために操作されるスタートレバー２３が設けられている。スタートレバー２３は、遊技者が遊技（ゲーム）を開始するときに手で押し操作（押される方向は限定されない）するレバーであり、所定数のメダルが投入されている状態でスタートレバー２３が操作されると、各リール２２Ｌ，２２Ｍ，２２Ｒの回転が一斉に（但し、同時である必要はない）開始されるようになっている。
【００１８】
スタートレバー２３の右側には、回転している各リール２２Ｌ，２２Ｍ，２２Ｒを個別に停止させるために操作されるボタン状のストップスイッチ２４Ｌ，２４Ｍ，２４Ｒが設けられている。各ストップスイッチ２４Ｌ，２４Ｍ，２４Ｒは、停止対象となるリール２２Ｌ，２２Ｍ，２２Ｒに対応して配置されている。すなわち、左ストップスイッチ２４Ｌが操作された場合には左リール２２Ｌの回転が停止し、中ストップスイッチ２４Ｍが操作された場合には中リール２２Ｍの回転が停止し、右ストップスイッチ２４Ｒが操作された場合には右リール２２Ｒの回転が停止する。
【００１９】
遊技パネル２０の下方右側には、メダルを投入するためのメダル投入部２５が設けられている。メダル投入部２５から投入されたメダルは、図３、４に示すように、前面扉１２の背面に設けられたセレクタ（不図示）によって取込用通路２６か排出用通路２７のいずれかへ導かれる。そして、取込用通路２６に導かれたメダルは、筺体１１の内部に収容されたホッパ装置３１（図３、５参照）へと導かれる。一方、排出用通路２７に導かれたメダルは、図１、２に示すように、前面扉１２の前面下部に設けられたメダル排出口２８からメダル受け皿２９へと導かれ、遊技者に返還される。
【００２０】
ホッパ装置３１は、図３、５に示すように、メダルを貯留する貯留タンク３２と、メダルを遊技者に払い出す払出装置３３とにより構成されている。払出装置３３は、図示しないメダル払出用回転板を回転させることにより、排出用通路２７に設けられた開口２７ａへメダルを排出し、排出用通路２７を介してメダル受け皿２９へメダルを払い出すようになっている。また、ホッパ装置３１の右方には、貯留タンク３２内に所定量以上のメダルが貯留されることを回避するための予備タンク３４が設けられている。ホッパ装置３１の貯留タンク３２内部には、この貯留タンク３２から予備タンク３４へとメダルを排出する誘導プレート（不図示）が設けられている。したがって、誘導プレートが設けられた高さ以上にメダルが貯留された場合、かかるメダルが予備タンク３４に貯留されることとなる。
【００２１】
図１、２に示すように、スタートレバー２３の左方には、精算スイッチ３５が設けられている。本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ３５が操作された場合、仮想メダルが現実のメダルとしてメダル排出口２８からメダル受け皿２９に払い出されるようになっている。また、メダル投入部２５に投入されたメダルがセレクタ内に詰まった状況下で精算スイッチ３５が操作された場合、セレクタが機械的に連動して動作され、当該セレクタ内に詰まったメダルがメダル排出口２８から返却されるようになっている。
【００２２】
遊技パネル２０の下方左側には、遊技媒体としてのクレジットされた仮想メダルを最大に投入（例えば、一度に３枚投入）するためのＭＡＸＢＥＴボタン３６が設けられている。また、本実施形態のスロットマシン１０には搭載されていないが、ＭＡＸＢＥＴボタン３６の近傍に、仮想メダルを一度に２枚投入するためのボタン（２ＢＥＴボタン）や、仮想メダルを１枚投入するためのボタン（１ＢＥＴボタン）が設けられていてもよい。精算スイッチ３５およびＭＡＸＢＥＴボタン３６は、スロットマシン１０における主要な遊技操作を行う操作部であることから、これらの操作部からの操作信号は後述する主制御装置９０に伝送されて処理される。
【００２３】
遊技パネル２０の下方略中央には、情報表示部３７が設けられている。情報表示部３７は、クレジットされている仮想メダル数や、ボーナス状態が終了するまでに払い出される残りのメダル数、入賞時に払い出したメダルの枚数、等のメダル数に関する情報がそれぞれ表示される７セグメント表示器から構成されている。なお、情報表示部３７は、７セグメント表示器によって構成されるものに限らず、表示するメダル数の情報を一画面の中に表示する液晶表示器等によって構成されてもよい。情報表示部３７の表示は、主制御装置９０によって制御される。
【００２４】
情報表示部３７の右方には、３つの演出ボタン３８，３９，４０が設けられている。演出ボタン３８は、後述する液晶表示装置５５に表示される画像や動画を切り替えたり、上部ランプ５１や側部ランプ５３の点灯状態を切り替えたりするために用いられる。演出ボタン３９，４０は、後述するスピーカ５７，５８，５９から出力される効果音のボリュームを増減させるために用いられる。これらの演出ボタン３８，３９，４０からの操作信号は後述するサブ制御装置８０に伝送されて処理される。また、メダル受け皿２９の上方には、機種名や遊技に関わるキャラクタなどが表示された下段プレート４１が装着されている。また、メダル受け皿２９の左方には、手前側下方に反転可能な灰皿４２が設けられている。
【００２５】
前面扉１２の前面側において、上部には、発光表示部としての上部ランプ５１と、左右一対のスピーカグリル５２とが設けられ、左右両側辺には、発光表示部としての一対の側部ランプ５３が設けられ、下段プレート４１の両側には、左右一対のスピーカグリル５４が設けられている。上部ランプ５１および側部ランプ５３は、遊技の進行に伴い点灯したり点滅したりすることで演出を行う。また、遊技パネル２０の上方には、遊技者に各種情報を与える液晶表示装置５５が設けられている。液晶表示装置５５は、遊技の進行に伴って各種表示演出を実行したり、電源投入時やエラー発生時にその状態を報知したりするためのものであり、映像を表示する液晶ディスプレイ５６を備えて構成されている。
【００２６】
図４に示すように、前面扉１２の背面側において、上部には、左右一対の上部スピーカ５７（図中、右側の上部スピーカは不図示）が設けられ、下部には、左右一対の下部スピーカ５８が設けられ、液晶表示装置５５の背面には、副スピーカ（ウーファー）５９が設けられている。上部スピーカ５７は、遊技の進行に伴い種々の効果音を発生し、この効果音がスピーカグリル５２を通して前面扉１２の前面側に送出される。下部スピーカ５８は、遊技者に遊技状態を報知する報知音を発生し、この報知音がスピーカグリル５４を通して前面扉１２の前面側に送出される。副スピーカ５９は、遊技の進行に伴い重低音等の効果音を発生するものである。
【００２７】
液晶表示装置５５は、液晶ケース５５ａにより外郭が形成され、その液晶ケース５５ａに液晶ディスプレイ５６（図２参照）および液晶基板（不図示）が収容されて構成されている。液晶基板には、映像出力全般の制御を担うＶＤＰ（Ｖｉｄｅｏ  Ｄｉｓｐｌａｙ  Ｐｒｏｃｅｓｓｏｒ）や各種メモリ等の電子部品が搭載されている。液晶ケース５５ａにはコネクタ口が形成され、液晶基板に搭載されるコネクタ５５ｂがコネクタ口を通して前面扉１２の背面側に露出されている。コネクタ５５ｂには、後述するサブ制御装置８０から延びる配線（不図示）が接続されるようになっている。
【００２８】
上部ランプ５１や側部ランプ５３、液晶表示装置５５、上部スピーカ５７や下部スピーカ５８、副スピーカ５９は、サブ制御装置８０によって制御される。サブ制御装置８０は、図３、５に示すように、筐体１１の背面板１１ｃの内面に本体ベース８５を介して取り付けられている。さらに、本体ベース８５には、リールユニット２１やホッパ装置３１を制御して遊技を統括管理する主制御装置９０が取り付けられている。また、筐体１１の内部においてホッパ装置３１の左方には、電源ボックス７０が設けられている。電源ボックス７０は、その内部に電源装置（不図示）を収容するとともに、サブ制御装置８０や主制御装置９０を始めとする各部に電力を供給するための電源スイッチ（不図示）を備えている。
【００２９】
前面扉１２の背面側には、図４に示すように、主中継基板７１とサブ中継基板７２とが設けられている。主中継基板７１は、電源ボックス７０から主制御装置９０を介して供給される電力、および主制御装置９０から伝送される制御信号をリールユニット２１や、スタートレバー２３、ストップスイッチ２４Ｌ，２４Ｍ，２４Ｒ、精算スイッチ３５、ＭＡＸＢＥＴボタン３６、情報表示部３７等の各部に中継するものである。サブ中継基板７２は、電源ボックス７０からサブ制御装置８０を介して供給される電力、およびサブ制御装置８０から伝送される制御信号を演出ボタン３８，３９，４０、液晶表示装置５５、上部ランプ５１、側部ランプ５３、上部スピーカ５７、下部スピーカ５８、副スピーカ５９等の各部に中継するものである。これらの主中継基板７１とサブ中継基板７２には、それぞれ主制御装置９０およびサブ制御装置８０からの配線（不図示）を接続する入力コネクタと、各部に接続される分配配線（不図示）を接続する分配コネクタと、が設けられている。
【００３０】
サブ制御装置８０は、図５に示すように、基板ケース８１により外郭が形成され、その基板ケース８１にサブ基板（不図示）が収容されて構成されている。サブ基板には、上部ランプ５１や側部ランプ５３、上部スピーカ５７や下部スピーカ５８、副スピーカ５９等の主たる制御を担うＭＰＵ（Ｍｉｃｒｏ  Ｐｒｏｃｅｓｓｉｎｇ  Ｕｎｉｔ）や、各種メモリ等の電子部品の他に、外部との電気的接続を行うための複数のコネクタ８２が搭載されている。このサブ基板は、電子部品の搭載面がサブ制御装置８０の前面側を向くように基板ケース８１に収容されている。基板ケース８１は、その背面側を形成するベース部材（不図示）と、前面側を形成するカバー部材８３とにより構成されている。カバー部材８３にはコネクタ口が開口形成され、コネクタ口を通してコネクタ８２が露出されている。
【００３１】
主制御装置９０は、基板ケース９１により外郭が形成され、その基板ケース９１に主基板（不図示）が収容されて構成されている。主基板には、リールユニット２１やホッパ装置３１等の主たる制御を担うＭＰＵ（Ｍｉｃｒｏ  Ｐｒｏｃｅｓｓｉｎｇ  Ｕｎｉｔ）や、各種メモリ等の電子部品の他に、外部との電気的接続を行うための複数のコネクタ９２が搭載されている。この主基板は、電子部品の搭載面が主制御装置９０の前面側を向くように基板ケース９１に収容されている。基板ケース９１は、その背面側を形成するベース部材（不図示）と、前面側を形成するカバー部材９３とにより構成されている。カバー部材９３には複数のコネクタ口が開口形成され、コネクタ口を通してコネクタ９２が露出されている。また、主制御装置９０には、リセットスイッチ９４および設定キー挿入孔９５が設けられている。
【００３２】
リセットスイッチ９４は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ９４を押しながら電源をオンすると、バックアップデータがリセット（初期化）されるようになっている。また、電源がオンされている状態でリセットスイッチ９４を押した場合には、エラー状態がリセットされる。
【００３３】
設定キー挿入孔９５は、ホール管理者などがメダルの出玉調整を行うためのものである。すなわち、ホール管理者等が設定キーを設定キー挿入孔９５へ挿入して回転操作することにより、スロットマシン１０の設定状態（各入賞態様の当選確率の設定）を「設定１」から「設定６」まで変更できるようになっている。そして、設定状態が「設定１」に設定された場合、メダル払出枚数の期待値が最も低くなるように入賞態様（役）の抽選を行い、設定状態が「設定６」に設定された場合、メダル払出枚数の期待値が最も高くなるように入賞態様の抽選を行うように構成されている。なお、リセットスイッチ９４は、エラー状態をリセットする場合の他に、スロットマシン１０の設定状態を変更する場合にも操作される。
【００３４】
〔リールユニットの構造〕
以下、図６および図７を参照し、リールユニット２１の構造について説明する。図６は、スロットマシン１０のリールユニット２１を示す断面図である。図７は、リールユニット２１の１つのリール２２を示す斜視図である。ここで、リール２２は、左リール２２Ｌ、中リール２２Ｍ、右リール２２Ｒの基本構造を示すものであって、各リール２２Ｌ，２２Ｍ，２２Ｒごとの細かな差異は省略して説明する。
【００３５】
リールユニット２１は、図６に示すように、金属板材が曲げ加工されたベース体６０を備える。このベース体６０は、その内部にリール２２（左リール２２Ｌ、中リール２２Ｍ、右リール２２Ｒ）を支持するとともに、ベース体６０を介してリールユニット２１が前面扉１２の裏側に取り付けられている。リール２２は、図６、７に示すように、ベース体６０に支持されて上下に延びるモータプレート６１と、このモータプレート６１に固定されてリールを駆動するためのステッピングモータ６２と、ステッピングモータ６２によって回転駆動される円筒状のリール枠６３と、リール枠６３の外周に貼り付けられて図柄が描かれた無端状のリールテープ６４（図７では省略する）と、リール枠６３が１回転したことを検出するためのリールインデックスセンサ６５と、を備えている。
【００３６】
さらに、リール２２は、モータプレート６１に支持されてリール枠６３の内部に位置するバックライト６６を備えている。バックライト６６は、前方やや上方に向けて光を照射し、リールテープ６４を内側から照らすことで、リールテープ６４の図柄に光を透過させ、この図柄が遊技パネル２０を通して遊技者から視認できるようにするものである。このようなリール２２は、主制御装置９０からの信号を受けてステッピングモータ６２が駆動することで、リール枠６３およびリールテープ６４が水平軸Ｏを中心に回転し、さらに主制御装置９０からの信号を受けてステッピングモータ６２が回転停止することで、リールテープ６４の３つの図柄がバックライト６６の前方に停止するように駆動制御される。
【００３７】
〔第１実施形態のバックライト〕
次に、図８から図１１を参照し、第１実施形態のバックライト６６（６６Ａ）の構造について説明する。図８は、リール２２における第１実施形態のバックライト６６Ａを示す断面図である。図９（Ａ）、（Ｂ）は、第１実施形態のバックライト６６Ａを示す正面図および断面図である。図１０は、第１実施形態のバックライト６６Ａを示す斜視図である。図１１は、第１実施形態のバックライト６６Ａの一部を拡大して示す断面図である。
【００３８】
バックライト６６Ａは、図８から図１１に示すように、光源である発光ダイオード１０１を複数搭載した基板１００と、発光ダイオード１０１からの光を反射する反射部材としてのリフレクタ１０２と、を備える。基板１００は、図示しない電力線および信号線とコネクタ２１ａ，２１ｂとを介して主中継基板７１および主制御装置９０に接続され、主制御装置９０によって発光ダイオード１０１の点灯が制御される。
【００３９】
基板１００は、平板状に形成され、発光ダイオード１０１は、例えば、横２列×上下３段の計６個が基板１００上に配列されている。基板１００は、リール２２の回転中心である水平軸Ｏと平行に設けられるとともに、中段の発光ダイオード１０１の位置において水平軸Ｏから延びる径方向の直線に直交し、かつ、上段および下段の発光ダイオード１０１の位置が水平軸Ｏから等距離になるように設置されている。従って、受光面であるリールテープ６４の内面６４Ａに対し、中段の発光ダイオード１０１よりも上段および下段の発光ダイオード１０１の方が内面６４Ａに近い位置に設けられている。各発光ダイオード１０１は、基板１００と直交する発光中心軸Ｘ（図１１参照）を中心として放射状に光を照射するように設けられている。各発光ダイオード１０１から照射された光は、直線的にリールテープ６４の内面６４Ａに到達するか、あるいはリフレクタ１０２に反射してからリールテープ６４の内面６４Ａに到達する。
【００４０】
リフレクタ１０２は、合成樹脂材料から一体成形されるとともに、前方側であるリールテープ６４の内面６４Ａに向かって開口した全体箱形に形成されている。リフレクタ１０２は、後方側の底部に設けられて基板１００を保持する矩形枠状の基板保持部１１０と、基板保持部１１０から側方かつ後方に突出しモータプレート６１に固定される固定部１１１と、基板保持部１１０の周囲から前方に拡がりながら延びる周壁１１２と、周壁１１２の内部を上下三段に区画する２つの隔壁１１３と、を有して形成されている。すなわち、リフレクタ１０２の周壁１１２の内部には、２つの隔壁１１３によって仕切られた上下三段の開口領域１１４が設けられ、各開口領域１１４の底部に発光ダイオード１０１が２個ずつ配置されるようになっている。
【００４１】
周壁１１２は、上下に位置する略台形状の第１周壁１１２Ａと、左右に位置する略扇形状の第２周壁１１２Ｂと、を有し、これらの第１および第２の周壁１１２Ａ，１１２Ｂの内面は略平坦面とされている。上側の第１周壁１１２Ａの内面にて反射された発光ダイオード１０１からの光は、上側の開口領域１１４における上縁部を中心としてリールテープ６４の内面６４Ａを照らし、下側の第１周壁１１２Ａの内面にて反射された発光ダイオード１０１からの光は、下側の開口領域１１４における下縁部を中心としてリールテープ６４の内面６４Ａを照らす。左右の第２周壁１１２Ｂの内面にて反射された発光ダイオード１０１からの光は、各開口領域１１４における側縁部を中心としてリールテープ６４の内面６４Ａを照らすことになる。
【００４２】
隔壁１１３は、リールテープ６４の図柄の境界位置に対応して左右に直線状に延びる前端縁１１５を有し、この前端縁１１５から上下かつ後方に拡がる全体山型（あるいは、前端縁１１５に向かって鋭角な楔形）の断面形状を有して形成されている。隔壁１１３は、前端縁１１５に連続して後方に延びる前方壁部１１６と、前方壁部１１６よりも後方側に位置する後方壁部１１７と、前方壁部１１６および後方壁部１１７の境界部分に位置する段部１１８と、を有している。前方壁部１１６および後方壁部１１７は、略平坦に形成され、これらの内面にて反射された発光ダイオード１０１からの光は、各開口領域１１４の境界縁部（前端縁１１５に沿った領域）を中心としてリールテープ６４の内面６４Ａを照らすことになる。
【００４３】
段部１１８は、隔壁１１３の前後方向中間位置にて前方壁部１１６よりも開口領域１１４の内方に突出し、基板１００と略平行に設けられている。段部１１８は、その表面に複数の凹凸１１９が形成された凹凸面で構成されている。段部１１８の凹凸１１９は、大きさが異なる微小な三角形（例えば、一辺が１ｍｍ未満の三角形）を互いに非平行に組み合わせた微小多面状に構成され、段部１１８の角部分１１８Ａ（後方壁部１１７に連続する部分）は、左右方向に延びるランダムなギザギザ状に形成されている。また、１つの隔壁１１３において上下背中合わせに位置する一対の段部１１８は、互いの凹凸１１９が線対称とならないように、一方の凸と他方の凹とが概ね上下対称となるように設けられていることが好ましい。
【００４４】
第１実施形態のバックライト６６Ａの作用について図１１を参照して説明する。隔壁１１３の前端縁１１５は、リールテープ６４の内面６４Ａと離隔した位置に設けられ、隣り合う開口領域１１４の発光ダイオード１０１から照射された光が内面６４Ａで重なって重なり部Ｌを形成するようになっている。具体的には、発光ダイオード１０１と前端縁１１５とを結ぶ直線がリールテープ６４の内面６４Ａに交差する点、すなわち図１１に経路Ｌ１で示す光が内面６４Ａに到達する位置は、前端縁１１５の前方位置を越えて隣りの開口領域１１４の側に達し、これにより隣り合う発光ダイオード１０１から照射された光が内面６４Ａに重なり部Ｌを形成する。
【００４５】
ここで、発光ダイオード１０１と隔壁１１３の前端縁１１５との位置がリールテープ６４の内面６４Ａに重なり部Ｌを形成するように設定されているのは、以下のような理由による。隣り合う開口領域１１４の発光ダイオード１０１から前端縁１１５を通る経路Ｌ１の光が内面６４Ａの同一位置（前端縁１１５の前方）に到達するように、すなわち重なり部Ｌの幅がゼロになるように設定されていると、リフレクタ１０２や基板１００等の製造誤差によって、経路Ｌ１の光が内面６４Ａの同一位置まで到達せずに（重なり部Ｌの幅が負になって）線状の影が生じてしまうことがある。このような影を生じさせないために、製造誤差を考慮しても重なり部Ｌの幅が正になるように発光ダイオード１０１と隔壁１１３の前端縁１１５との位置が設定されている。しかし、重なり部Ｌでは隣り合う開口領域１１４の発光ダイオード１０１からの光が重なるため、重なり部Ｌの光量が周囲に比べて大きくなり、明るい線状の部分ができてしまうこともある。
【００４６】
そこで、発光ダイオード１０１と隔壁１１３の前端縁１１５とを結ぶ直線は、その途中で段部１１８の角部分１１８Ａを横切るようになっている。具体的には、発光ダイオード１０１と前端縁１１５とを結ぶ直線の中間位置よりも若干底部側（発光ダイオード１０１側）に段部１１８が設けられ、その角部分１１８Ａにおける凹凸１１９の凹を通過した光が前端縁１１５に到達する。一方、角部分１１８Ａの先端部（凹凸１１９の凸の部分）によって遮られた光は、前端縁１１５に到達せず、重なり部Ｌに到達する光量が凹凸１１９の形状に応じて絞られるようになっている。このように発光ダイオード１０１から照射される光が段部１１８の凹凸１１９によって部分的に遮られることで、この凹凸１１９によって重なり部Ｌに到達する光を減少させる減光手段が構成されている。
【００４７】
ここで、隔壁１１３の上下の段部１１８のうち、一方の角部分１１８Ａのある位置を通過して重なり部Ｌの所定位置に到達する光と、他方の角部分１１８Ａの対称位置を通過して重なり部Ｌの同じ位置に到達する光と、は互いを平均すると５０％程度に設定されていることが好ましい。すなわち、例えば、上側および下側の角部分１１８Ａをそれぞれ５０％ずつの光が通過して重なり部Ｌの同じ位置に到達すると（平均５０％）、重なり部Ｌにおいて１００％（５０％＋５０％）となり、角部分１１８Ａによって遮られずに全てがリールテープ６４の内面６４Ａに到達する光（すなわち図１１に経路Ｌ２で示す光）と同等の光量となる。また、例えば、上側の角部分１１８Ａを７０％の光が通過し、下側の角部分１１８Ａを３０％の光が通過すれば、平均５０％の通過率となり、重なり部Ｌの同じ位置に到達して１００％となる。
【００４８】
このような本実施形態によれば、以下の作用・効果を奏することができる。
（１）第１実施形態のバックライト６６Ａは、発光ダイオード１０１から照射されて隔壁１１３の前端縁１１５に向かう光が段部１１８の凹凸１１９（減光手段）によって減少するので、隣り合う開口領域１１４の発光ダイオード１０１からの光がリールテープ６４の内面６４Ａで重なる重なり部Ｌの光量が抑制され、内面６４Ａにおける照度の均一化を図ることができる。
【００４９】
（２）減光手段は段部１１８の凹凸１１９で構成され、発光ダイオード１０１からの光が凹凸１１９の凹を通過するとともに凸で遮られることで、リールテープ６４の内面６４Ａに到達する光を減少させ、重なり部Ｌの光量を抑制することができる。したがって、リフレクタ１０２において、反射面の形状を複雑な計算に基づいて設計しなくても、凹凸１１９を形成するだけで重なり部Ｌの光量を適宜に調整することができる。
【００５０】
（３）バックライト６６Ａは、発光ダイオード１０１と隔壁１１３の前端縁１１５との中間位置に段部１１８が設けられ、段部１１８から前端縁１１５およびリールテープ６４の内面６４Ａまで距離が離れているので、段部１１８の凹凸１１９を通過した光が内面６４Ａに到達するまでにぼやけることから、内面６４Ａに凹凸１１９の影が生じることを抑制することができる。したがって、リールテープ６４を視認する遊技者に対し、違和感を生じさせることのない発光表示を実現することができる。
【００５１】
（４）バックライト６６Ａは、発光ダイオード１０１から重なり部Ｌに至る光が段部１１８の凹凸１１９によって半分程度に減少され、それぞれ半分程度に減少した隣り合う開口領域１１４の発光ダイオード１０１からの光が重なり部Ｌで重なることで、重なり部Ｌの光量を周囲と同等に調整することができる。
【００５２】
〔第２実施形態のバックライト〕
次に、図１２から図１５を参照し、第２実施形態のバックライト６６（６６Ｂ）の構造について説明する。図１２は、リール２２における第２実施形態のバックライト６６Ｂを示す断面図である。図１３（Ａ）、（Ｂ）は、第２実施形態のバックライト６６Ｂを示す正面図および断面図である。図１４は、第２実施形態のバックライト６６Ｂを示す斜視図である。図１５は、第２実施形態のバックライト６６Ｂの一部を拡大して示す断面図である。
【００５３】
バックライト６６Ｂは、図１２から図１５に示すように、光源である発光ダイオード２０１を複数搭載した基板２００と、発光ダイオード２０１からの光を反射する反射部材としてのリフレクタ２０２と、を備える。基板２００は、図示しない電力線および信号線とコネクタ２１ａ，２１ｂとを介して主中継基板７１および主制御装置９０に接続され、主制御装置９０によって発光ダイオード２０１の点灯が制御される。
【００５４】
基板２００は、平板状に形成され、発光ダイオード２０１は、例えば、横２列×上下３段の計６個が基板２００上に配列されている。基板２００は、リール２２の回転中心である水平軸Ｏと平行に設けられるとともに、中段の発光ダイオード２０１の位置において水平軸Ｏから延びる径方向の直線に直交し、かつ、上段および下段の発光ダイオード２０１の位置が水平軸Ｏから等距離になるように設置されている。従って、受光面であるリールテープ６４の内面６４Ａに対し、中段の発光ダイオード２０１よりも上段および下段の発光ダイオード２０１の方が内面６４Ａに近い位置に設けられている。各発光ダイオード２０１は、基板２００と直交する発光中心軸Ｘ（図１５参照）を中心として放射状に光を照射するように設けられている。各発光ダイオード２０１から照射された光は、直線的にリールテープ６４の内面６４Ａに到達するか、あるいはリフレクタ２０２に反射してからリールテープ６４の内面６４Ａに到達する。
【００５５】
リフレクタ２０２は、合成樹脂材料から一体成形されるとともに、前方側であるリールテープ６４の内面６４Ａに向かって開口した全体箱形に形成されている。リフレクタ２０２は、後方側の底部に設けられて基板２００を保持する矩形枠状の基板保持部２１０と、基板保持部２１０から側方かつ後方に突出しモータプレート６１に固定される固定部２１１と、基板保持部２１０の周囲から前方に拡がりながら延びる周壁２１２と、周壁２１２の内部を上下三段に区画する２つの隔壁２１３と、を有して形成されている。すなわち、リフレクタ２０２の周壁２１２の内部には、２つの隔壁２１３によって仕切られた上下三段の開口領域２１４が設けられ、各開口領域２１４の底部に発光ダイオード２０１が２個ずつ配置されるようになっている。
【００５６】
周壁２１２は、上下に位置する略台形状の第１周壁２１２Ａと、左右に位置する略扇形状の第２周壁２１２Ｂと、を有し、これらの第１および第２の周壁２１２Ａ，２１２Ｂの内面は略平坦面とされている。上側の第１周壁２１２Ａの内面にて反射された発光ダイオード２０１からの光は、上側の開口領域２１４における上縁部を中心としてリールテープ６４の内面６４Ａを照らし、下側の第１周壁２１２Ａの内面にて反射された発光ダイオード２０１からの光は、下側の開口領域２１４における下縁部を中心としてリールテープ６４の内面６４Ａを照らす。左右の第２周壁２１２Ｂの内面にて反射された発光ダイオード２０１からの光は、各開口領域２１４における側縁部を中心としてリールテープ６４の内面６４Ａを照らすことになる。
【００５７】
隔壁２１３は、リールテープ６４の図柄の境界位置に対応して左右に直線状に延びる前端縁２１５を有し、この前端縁２１５から上下かつ後方に拡がる全体山型（あるいは、前端縁２１５に向かって鋭角な楔形）の断面形状を有して形成されている。隔壁２１３の壁面は、開口領域２１４の底部から前方に向かうにしたがい開口領域２１４の中心部（図１５に示す発光ダイオード２０１の発光中心軸Ｘ）から離れる方向に傾斜して設けられるとともに、後方側（底部側）に位置する第１反射面部２１６と、この第１反射面部２１６よりも前方側（前端縁２１５側）に位置する第２反射面部２１７と、を有している。第１反射面部２１６と第２反射面部２１７とは、隔壁２１３の前後方向中間位置よりも前方にある反曲線２１８によって区分され、この反曲線２１８の位置で互いに平行になっている。
【００５８】
第１反射面部２１６は、開口領域２１４の内方に向かって凹となる凹面で形成されている。すなわち、第１反射面部２１６は、開口領域２１４の底部近傍における発光中心軸Ｘとの傾斜角が大きく、底部から前方に向かうにしたがい発光中心軸Ｘとの傾斜角が小さくなるような曲面によって構成されている。したがって、図１５に示すように、発光ダイオード２０１から照射されて第１反射面部２１６に反射した光の経路Ｌ３は、開口領域２１４の中心方向に向かわず、隔壁２１３の前端縁２１５に近い周辺部に向かい、リールテープ６４の内面６４Ａに到達することになる。このように発光ダイオード２０１から照射される光が第１反射面部２１６によって開口領域２１４の周辺部に向かって反射されることで、開口領域２１４の中心方向に向かって反射する反射光を減少させる減光手段が構成されている。
【００５９】
第２反射面部２１７は、開口領域２１４の内方に向かって凸となる凸面で形成されている。すなわち、第２反射面部２１７は、開口領域２１４の反曲線２１８近傍における発光中心軸Ｘとの傾斜角が小さく、反曲線２１８から前方に向かうにしたがい発光中心軸Ｘとの傾斜角が大きくなるような曲面によって構成されている。したがって、図１５に示すように、発光ダイオード２０１から照射されて第２反射面部２１７に反射した光の経路Ｌ４は、隔壁２１３の前端縁２１５に近い開口領域２１４の周辺部に向かい、リールテープ６４の内面６４Ａに到達することになる。このように発光ダイオード２０１から照射される光が第２反射面部２１７によって開口領域２１４の周辺部に向かって反射されることで、開口領域２１４の周辺部への反射光を増加させる増光手段が構成されている。
【００６０】
また、反曲線２１８付近から第２反射面部２１７にかけて隔壁２１３の前方側の表面は、第１反射面部２１６の後方側に比べて表面粗度が大きく設定されている。すなわち、隔壁２１３の表面における前方側が後方側よりも反射率が低く設定されている。具体的には、隔壁２１３の後方側の表面には、＃１０００の紙やすりによる磨き加工が施され、前方側の表面には、＃２４０の紙やすりによる磨き加工が施されている。したがって、第１反射面部２１６の後方側は、発光ダイオード２０１からの光を強くかつ拡散しにくく反射し、この反射光が開口領域２１４の周辺部におけるリールテープ６４の内面６４Ａに到達するようになっている。一方、反曲線２１８付近から第２反射面部２１７にかけては、発光ダイオード２０１からの光を開口領域２１４の周辺部に向かって反射しつつも、この反射光が強くなりすぎず、反射光が拡散して若干ぼやけながらリールテープ６４の内面６４Ａに到達するようになっている。
【００６１】
このような本実施形態によれば、以下の作用・効果を奏することができる。
（１）第２実施形態のバックライト６６Ｂは、発光ダイオード２０１から照射されて第１反射面部２１６で反射した光が開口領域２１４の周辺部に向かい、開口領域２１４の中心方向に向かう光が減少するので、開口領域２１４の中心部のリールテープ６４の内面６４Ａにおける光量が抑制され、内面６４Ａにおける照度の均一化を図ることができる。
【００６２】
（２）減光手段が開口領域２１４の内方に向かって凹となる凹面で形成された第１反射面部２１６によって構成されることで、発光ダイオード２０１からの光を第１反射面部２１６で反射させた反射光が開口領域２１４の中心方向に向かいにくくなり、これにより開口領域２１４の中心部のリールテープ６４の内面６４Ａにおける光量を抑制することができる。
【００６３】
（３）バックライト６６Ｂは、発光ダイオード２０１から照射されて第２反射面部２１７で反射した反射光が開口領域２１４の周辺方向に向かって増加されるので、開口領域２１４の周辺部のリールテープ６４が暗くなるのを抑制し、リールテープ６４の内面６４Ａにおける照度の均一化を図ることができる。したがって、リールテープ６４を視認する遊技者に対し、違和感を生じさせることのない発光表示を実現することができる。
【００６４】
（４）増光手段が開口領域２１４の内方に向かって凸となる凸面で形成された第２反射面部２１７によって構成されることで、発光ダイオード２０１からの光を第２反射面部２１７によって開口領域２１４の周辺方向に向かって反射させ、これにより開口領域２１４の周辺部のリールテープ６４の内面６４Ａにおける光量を増加させることができる。
【００６５】
（５）隔壁２１３の前方側である反曲線２１８付近から第２反射面部２１７にかけて表面粗度が大きく設定され、その反射光が拡散しつつリールテープ６４の内面６４Ａに到達することで、リールテープ６４の内面６４Ａに近い第２反射面部２１７からの反射光の光量を抑制し、これにより内面６４Ａ全体の照度を調整することができる。また、隣り合う開口領域２１４の発光ダイオード２０１からの光が隔壁２１３の前端縁２１５前方のリールテープ６４の内面６４Ａで重なったとしても、その重なり部の光をぼやけさせることで光量が抑制され、線状の明るい部分が生じるのを防止することができる。
【００６６】
〔第２実施形態の変形例〕
第２実施形態のバックライト６６Ｂにおいて、リフレクタ２０２の隔壁２１３は、第１反射面部２１６が凹面で形成されて減光手段を構成し、第２反射面部２１７が凸面で形成されて増光手段を構成するものであったが、このような減光手段や増光手段が周壁２１２に設けられていてもよい。さらに、リフレクタ２０２は、減光手段と増光手段の両方が設けられているものに限らず、いずれか一方が設けられていればよい。すなわち、リフレクタ２０２において、開口領域２１４の中心方向に向かって反射する反射光を減少させる減光手段が設けられていれば、反射光が開口領域２１４の中心方向に向かいにくくなり、これにより開口領域２１４の中心部のリールテープ６４の内面６４Ａにおける光量を抑制することができる。一方、リフレクタ２０２において、開口領域２１４の周辺方向に向かって反射する反射光を増加させる増光手段が設けられていれば、開口領域２１４の周辺方向に向かう光が増加するので、開口領域２１４の周辺部のリールテープ６４が暗くなるのを抑制し、照度の均一化を図ることができる。
【００６７】
〔各実施形態の変形例〕
なお、本発明は、前記各実施形態に限定されるものではなく、本発明の目的を達成できる範囲での変形、改良等は本発明に含まれるものである。
（１）前記各実施形態では、スロットマシン１０のリールユニット２１を例示したが、本発明は、リールユニット２１に限らず、遊技機の各部に設けられる発光表示部に適用可能である。このような発光表示部の変形例について、図１６を参照して説明する。図１６（Ａ）、（Ｂ）は、本発明の変形例に係る発光表示部に用いられるバックライト６６Ｃを示す正面図および断面図である。
【００６８】
図１６に示すバックライト６６Ｃは、発光表示部である上部ランプ５１や側部ランプ５３の内部に設けられ、それらを内側から照らすものである。バックライト６６Ｃは、光源である発光ダイオード３０１を複数搭載した基板３００と、発光ダイオード３０１からの光を反射する反射部材としてのリフレクタ３０２と、を備え、基板３００上に発光ダイオード３０１は、例えば、横３列×上下５段の計１５個が配列されている。リフレクタ３０２は、合成樹脂材料から一体成形されるとともに、前方側に開口した全体箱形に形成され、前方に拡がりながら延びる周壁３１２と、周壁３１２の内部を上下五段に区画する４つの隔壁３１３と、を有して形成されている。リフレクタ３０２の周壁３１２の内部には、４つの隔壁３１３によって仕切られた上下五段の開口領域３１４が設けられ、各開口領域３１４の底部に発光ダイオード３０１が３個ずつ配置されるようになっている。
【００６９】
隔壁３１３は、前記第１実施形態の隔壁１１３と同様に、前端縁から上下かつ後方に拡がる全体山型の断面形状を有し、その壁面の中間位置に段部３１８が形成されている。段部３１８は、隔壁３１３の壁面から開口領域３１４の内方に突出して設けられ、その表面に複数の凹凸が形成された凹凸面で構成されている。このようなバックライト６６Ｃによれば、前記第１実施形態と同様に、発光ダイオード３０１から照射されて隔壁３１３の前端縁に向かう光が段部３１８の凹凸（減光手段）によって減少するので、隣り合う開口領域３１４の発光ダイオード３０１からの光が上部ランプ５１や側部ランプ５３の内面で重なる重なり部の光量が抑制され、上部ランプ５１や側部ランプ５３における照度の均一化を図ることができる。
【００７０】
（２）前記１実施形態のバックライト６６Ａにおいて、減光手段は、隔壁１１３の中間位置に設けられた１つの段部１１８によって構成されていたが、図１７に示すように、段部１１８が複数設けられていてもよい。図１７は、本発明の他の変形例に係るバックライト６６Ａを示す斜視図である。このバックライト６６Ａは、隔壁１１３の中間位置に二段の段部１１８を有して形成されている。したがって、発光ダイオード１０１から照射された光は、先ず後方側の段部１１８の角部分を横切ってから、前方側の段部１１８の角部分を横切ることで減光され、減光された光が受光面に到達して重なり部を形成するようになっている。このように複数の段部１１８（減光手段）が設けられていることで、発光ダイオード１０１からの光を段階的に効率よく減光させることができ、受光面における照度の変化を効果的に抑制することができる。
【００７１】
（３）前記１実施形態のバックライト６６Ａにおいて、減光手段は、隔壁１１３の中間位置に設けられた１つの段部１１８によって構成されていたが、図１８に示すように、立壁１２０や突出部１３０が設けられていてもよい。図１８（Ａ）、（Ｂ）は、本発明のさらに他の変形例に係るバックライト６６Ａを示す断面図である。図１８（Ａ）に示すバックライト６６Ａのリフレクタ１０２は、隔壁１１３とは別に開口領域１１４の底部から立ち上がる立壁１２０を有し、立壁１２０の先端面に凹凸１２１が形成されている。図１８（Ｂ）に示すバックライト６６Ａのリフレクタ１０２は、隔壁１１３の中間位置から開口領域１１４の内方に突出する突出部１３０を有し、突出部１３０の先端面に凹凸１３１が形成されている。このような立壁１２０や突出部１３０によっても第１実施形態と同様に、発光ダイオード１０１から照射された光が凹凸１２１，１３１によって減光され、減光された光が受光面に到達して重なり部を形成することで、受光面における照度の変化を効果的に抑制することができる。
【００７２】
（４）前記１実施形態のバックライト６６Ａにおいて、減光手段は、隔壁１１３の中間位置に設けられた１つの段部１１８によって構成され、前記２実施形態のバックライト６６Ｂにおいて、減光手段は、隔壁１１３の後方側（底部側）に位置する第１反射面部２１６によって構成されていたが、図１９に示すように、減光手段が光源からの光を部分的に透過させる半透過部で構成されていてもよい。図１９は、本発明のさらに他の変形例に係るバックライト６６Ａを示す断面図である。図１９に示すバックライト６６Ａのリフレクタ１０２は、隔壁１１３とは別に開口領域１１４の底部から立ち上がる半透過部としての半透明坂１４０を有している。このような半透明坂１４０によっても第１実施形態と同様に、発光ダイオード１０１から照射された光が半透明坂１４０によって減光され、減光された光が受光面に到達して重なり部を形成し、あるいは減光された光が隔壁１１３に反射されて開口領域１１４の中心方向に向かうことで、受光面における照度の変化を効果的に抑制することができる。
【００７３】
（５）前記２実施形態のバックライト６６Ｂにおいて、減光手段は、隔壁１１３の後方側（底部側）に位置する第１反射面部２１６が凹面で形成されることによって構成されていたが、図２０に示すように、隔壁２１３の壁面２２０の反射率が低く設定されることによって減光手段が構成されていてもよい。図２０は、本発明のさらに他の変形例に係るバックライト６６Ｂを示す断面図である。図２０に示すバックライト６６Ｂのリフレクタ１０２は、隔壁２１３の壁面２２０が平坦面で構成され、この壁面２２０における後方側（底部側）の表面に着色部２２１が設けられている。この着色部２２１は、底部から前方に向かって徐々に色が薄くなるグラデーションを有して設けられ、壁面２２０の反射率が後方側ほど低くなるように設定されている。したがって、第１実施形態と同様に、発光ダイオード１０１から照射された光が壁面２２０で反射する際に、着色部２２１で反射して開口領域２１４の中心方向に向かう反射光を減光させることで、受光面における照度の変化を効果的に抑制することができる。なお、着色部２２１は、塗装によって形成されてもよいし、蒸着やメッキによって形成されてもよいし、シール等を貼付することによって形成されてもよい。また、壁面２２０の表面粗度を高めるようことによって減光手段が構成されていてもよい。
【００７４】
（６）前記２実施形態のバックライト６６Ｂのリフレクタ２０２において、減光手段が凹面状の第１反射面部２１６で構成され、増光手段が凸面状の第２反射面部２１７で構成され、これらの反射面の反射率が同一に設定されていたが、反射面の反射率を適宜に変化させてもよい。具体的には、リフレクタ２０２の壁面における前方側の表面粗度を高くすることで、後方側よりも反射率が低くなるように設定されていてもよい。このように受光面に近い前方側の反射率を低くすることで、反射光の光量を抑制し、これにより受光面全体の照度を調整することができる。
【００７５】
〔各実施形態から抽出される発明群〕
以下、前記各実施形態から抽出される発明群の特徴を説明する。なお、本発明群の特徴のうち、前記各実施形態において対応する構成を括弧書きで示すが、本発明群の特徴は、前記各実施形態に限定されるものではなく、本発明群の特徴の目的を達成できる範囲での変形、改良等や、各特徴の組み合わせは本発明群の特徴に含まれるものである。
【００７６】
＜特徴Ａ群＞
特徴Ａ１．
光を照射する光源（発光ダイオード１０１）と、光源からの光を反射する反射部材（リフレクタ１０２）と、この反射部材の前方を覆って光を受ける受光面（リールテープ６４の内面６４Ａ）と、を備えた遊技機であって、
前記反射部材は、前方側に開口するとともに隔壁（１１３）によって仕切られた複数の開口領域（１１４）を有し、これら複数の開口領域の底部に前記光源が配置され、
前記隔壁の前端縁（１１５）は、前記受光面と離隔した位置に設けられ、隣り合う前記開口領域の前記光源から照射された光が前記受光面で重なって重なり部（Ｌ）を形成し、
前記光源と前記隔壁の前端縁とを結ぶ直線上には、前記光源からの光を減少させる減光手段（凹凸１１９）が設けられている
ことを特徴とする遊技機。
【００７７】
本発明群の特徴Ａ１によれば、光源から照射されて隔壁の前端縁に向かう光が減光手段によって減少するので、隣り合う開口領域の光源からの光が受光面で重なる重なり部の光量が抑制され、受光面における照度の均一化を図ることができる。
【００７８】
特徴Ａ２．
本発明群の特徴Ａ１に記載の遊技機において、
前記減光手段は、前記光源と前記隔壁の前端縁との中間位置に設けられている
ことを特徴とする遊技機。
【００７９】
本発明群の特徴Ａ２によれば、光源と隔壁の前端縁との中間位置に減光手段が設けられ、減光手段から隔壁の前端縁および受光面まで距離が設けられているので、減光手段を通過した光が受光面に到達するまでにぼやけることから、受光面に減光手段の影が生じることを抑制することができる。
【００８０】
特徴Ａ３．
本発明群の特徴Ａ１または特徴Ａ２に記載の遊技機において、
前記減光手段は、前記光源から前記重なり部に至る光を半分程度に減少させる
ことを特徴とする遊技機。
【００８１】
本発明群の特徴Ａ３によれば、光源から重なり部に至る光が減光手段によって半分程度に減少され、それぞれ半分程度に減少した隣り合う開口領域の光源からの光が重なり部で重なることで、重なり部の光量を周囲と同等に調整することができる。
【００８２】
特徴Ａ４．
本発明群の特徴Ａ１から特徴Ａ３のいずれかに記載の遊技機において、
前記減光手段は、
複数の凹凸（１１９，１２１，１３１）が形成された凹凸面で構成されるか、または、
前記光源からの光を部分的に透過させる半透過部（半透明坂１４０）で構成される
ことを特徴とする遊技機。
【００８３】
本発明群の特徴Ａ４によれば、減光手段が凹凸面で構成され、その凹凸を通過した光が受光面で重なることで、重なり部の光量を抑制することができる。また、減光手段が半透過部で構成され、半透過部を通過した光が受光面で重なることで、重なり部の光量を抑制することができる。
【００８４】
特徴Ａ５．
本発明群の特徴Ａ１から特徴Ａ４のいずれかに記載された遊技機において、
前記減光手段は、前記光源と前記隔壁の前端縁とを結ぶ直線上に複数設けられている
ことを特徴とする遊技機。
【００８５】
本発明群の特徴Ａ５によれば、減光手段が複数設けられていることで、光源からの光を段階的に効率よく減光させることができ、受光面における照度の変化を効果的に抑制することができる。
【００８６】
特徴Ａ６．
本発明群の特徴Ａ１から特徴Ａ５のいずれかに記載された遊技機において、
前記隔壁は、前方に向かうにしたがい前記開口領域の中心部から離れる方向に傾斜した傾斜面を有した全体山型に形成され、
前記減光手段は、
前記傾斜面の後方側に形成された段部（１１８）の先端縁に設けられているか、
前記傾斜面の中間位置から前記開口領域の内方に突出した突出部（１３０）の先端縁に設けられているか、または、
前記傾斜面と離れて前記開口領域の底部から前方に突出した立壁（１２０）の先端縁に設けられている
ことを特徴とする遊技機。
【００８７】
本発明群の特徴Ａ６によれば、段部や突出部、立壁などによって減光手段が構成されることで、反射部材の素材や製造方法等に応じて適宜な構成を選択することができる。なお、段部や突出部、立壁などは、反射部材と一体成形されてもよいし、別体の部材を取り付けて構成されてもよい。
【００８８】
特徴Ａ７．
本発明群の特徴Ａ１から特徴Ａ６のいずれかに記載された遊技機において、
前記受光面は、回胴式表示装置のリールテープであり、
前記反射部材は、前記リールテープの内側に設けられ、前記開口領域が上下三段に形成されている
ことを特徴とする遊技機。
【００８９】
本発明群の特徴Ａ７によれば、回胴式表示装置を有した遊技機であるスロットマシンにおいて、内側から照らされるリールテープの上下に隣り合う図柄の境界部分における照度の変化を抑制し、遊技者がリールテープを視認する際の違和感を低減することができる。
【００９０】
このような本発明の特徴Ａ群によれば、隣り合う開口領域の光源からの光が受光面で重なる重なり部の光量が抑制され、受光面における照度の均一化を図ることができるので、次のような課題を解決することができる。
【００９１】
従来、遊技機の代表例として例えばスロットマシンやパチンコ機がある。例えば、スロットマシンは、回胴式表示装置（リールユニット）を備え（例えば、特許文献１参照）、このリールユニットは、それぞれ独立してモータによって回転駆動される左、中、右のリールと、各リールのリールテープ（受光面)を内側から照らす左、中、右のバックライトと、を備えた発光表示部として機能する。各バックライトは、前方側に開口した箱形状の内部が２つの隔壁によって上、中、下の三段の開口領域に仕切られたリフレクタ（反射部材）と、各開口領域の底部に設けられた発光ダイオード（光源）と、を備えている。このようなリールユニットでは、各リールがすべて停止している状態において、左、中、右のバックライトによって照らされた各リールテープの上、中、下の三段の図柄（すなわち３×３＝９個の図柄）が遊技者に視認可能な状態となる。
【００９２】
しかしながら、従来の発光表示部におけるバックライトでは、反射部材の開口領域を形成する壁面（反射面）が平面からなり、この反射面が一定の反射率を有した材料から構成されることが一般的であり、リールテープ等の受光面における照度を均一にするのが困難であった。すなわち、例えば、隣り合う開口領域の光源からの光が隔壁によって遮断されると、隔壁の前方における受光面に線状の影が生じ、一方、隣り合う開口領域の光源からの光が隔壁の前端縁を通過して重なるようにすると、隔壁の前方における受光面に周囲よりも明るい線状の部分ができてしまう。
【００９３】
＜特徴Ｂ群＞
特徴Ｂ１．
光を照射する光源（発光ダイオード２０１）と、光源からの光を反射する反射部材（リフレクタ２０２）と、この反射部材の前方を覆って光を受ける受光面（リールテープ６４の内面６４Ａ）と、を備えた遊技機であって、
前記反射部材は、前方側に開口する開口領域（２１４）を形成する壁面（隔壁２１３）を有し、前記開口領域の底部に前記光源が配置され、前記光源から照射された光が前記壁面に反射して前記受光面に向かうように構成され、
前記壁面は、前方に向かうにしたがい前記開口領域の中心部から離れる方向に傾斜して設けられるとともに、前記壁面には、前記開口領域の中心方向に向かって反射する反射光を減少させる減光手段が設けられている
ことを特徴とする遊技機。
【００９４】
本発明群の特徴Ｂ１によれば、光源から照射されて壁面で反射して開口領域の中心方向に向かう光が減光手段によって減少するので、開口領域の中心部の受光面における光量が抑制され、受光面における照度の均一化を図ることができる。
【００９５】
特徴Ｂ２．
本発明群の特徴Ｂ１に記載された遊技機において、
前記壁面は、後方側に位置する第１反射面部（２１６）と、この第１反射面部よりも前方側に位置する第２反射面部（２１７）と、を有し、
前記減光手段は、前記第１反射面部に設けられている
ことを特徴とする遊技機。
【００９６】
本発明群の特徴Ｂ２によれば、後方側に位置する第１反射面部に減光手段が設けられていることで、開口領域の中心方向に向かう光を効果的に減少させることができる。
【００９７】
特徴Ｂ３．
本発明群の特徴Ｂ２に記載された遊技機において、
前記減光手段は、前記第１反射面部が前記開口領域の内方に向かって凹となる凹面で形成されることにより構成されている
ことを特徴とする遊技機。
【００９８】
本発明群の特徴Ｂ３によれば、第１反射面部が開口領域の内方に向かって凹となる凹面で形成されることで、光源からの光を第１反射面部で反射させた反射光が開口領域の中心方向に向かいにくくなり、これにより中心部の受光面における光量を抑制することができる。
【００９９】
特徴Ｂ４．
本発明群の特徴Ｂ２または特徴Ｂ３に記載された遊技機において、
前記減光手段は、前記第１反射面部の反射率が前記第２反射面部よりも低く設定されることにより構成されている
ことを特徴とする遊技機。
【０１００】
本発明群の特徴Ｂ４によれば、第１反射面部（着色部２２１）の反射率が第２反射面部よりも低く設定されることで、第１反射面部で反射させた反射光の光量を減少させ、これにより中心部の受光面における光量を抑制することができる。
【０１０１】
特徴Ｂ５．
本発明群の特徴Ｂ２から特徴Ｂ４のいずれかに記載の遊技機において、
前記第２反射面部には、前記開口領域における前記壁面に近い周辺方向に向かって反射する反射光を増加させる増光手段が設けられている
ことを特徴とする遊技機。
【０１０２】
本発明群の特徴Ｂ５によれば、光源から照射されて第２反射面部で反射して開口領域の周辺方向に向かう光が増光手段によって増加するので、開口領域の周辺部の受光面が暗くなるのを抑制し、受光面における照度の均一化を図ることができる。
【０１０３】
特徴Ｂ６．
本発明群の特徴Ｂ５に記載の遊技機において、
前記増光手段は、前記第２反射面部が前記開口領域の内方に向かって凸となる凸面で形成されることにより構成されている
ことを特徴とする遊技機。
【０１０４】
本発明群の特徴Ｂ６によれば、第２反射面部が開口領域の内方に向かって凸となる凸面で形成されることで、光源からの光を第２反射面部によって開口領域の周辺方向に向かって反射させ、これにより周辺部の受光面における光量を増加させることができる。
【０１０５】
特徴Ｂ７．
本発明群の特徴Ｂ１から特徴Ｂ６のいずれかに記載された遊技機において、
前記壁面における前方側は、後方側よりも反射率が低く設定されている
ことを特徴とする遊技機。
【０１０６】
本発明群の特徴Ｂ７によれば、壁面における前方側の反射率を低く設定することで、受光面に近い壁面前方側からの反射光の光量を抑制し、これにより受光面全体の照度を調整することができる。
【０１０７】
特徴Ｂ８．
本発明群の特徴Ｂ１から特徴Ｂ７のいずれかに記載された遊技機において、
前記受光面は、回胴式表示装置のリールテープであり、
前記反射部材は、前記リールテープの内側に設けられ、前記開口領域が上下三段に形成されている
ことを特徴とする遊技機。
【０１０８】
本発明群の特徴Ｂ８によれば、回胴式表示装置を有した遊技機であるスロットマシンにおいて、内側から照らされるリールテープの図柄のそれぞれにおける照度を均一化し、遊技者がリールテープを視認する際の違和感を低減することができる。
【０１０９】
このような本発明の特徴Ｂ群によれば、開口領域の中心部の受光面における光量が抑制され、受光面における照度の均一化を図ることができるので、次のような課題を解決することができる。
【０１１０】
従来、遊技機の代表例として例えばスロットマシンやパチンコ機がある。例えば、スロットマシンは、回胴式表示装置（リールユニット）を備え（例えば、特許文献１参照）、このリールユニットは、それぞれ独立してモータによって回転駆動される左、中、右のリールと、各リールのリールテープ（受光面)を内側から照らす左、中、右のバックライトと、を備えた発光表示部として機能する。各バックライトは、前方側に開口した箱形状の内部が２つの隔壁によって上、中、下の三段の開口領域に仕切られたリフレクタ（反射部材）と、各開口領域の底部に設けられた発光ダイオード（光源）と、を備えている。このようなリールユニットでは、各リールがすべて停止している状態において、左、中、右のバックライトによって照らされた各リールテープの上、中、下の三段の図柄（すなわち３×３＝９個の図柄）が遊技者に視認可能な状態となる。
【０１１１】
しかしながら、従来の発光表示部におけるバックライトでは、反射部材の開口領域を形成する壁面（反射面）が平面からなり、この反射面が一定の反射率を有した材料から構成されることが一般的であり、リールテープ等の受光面における照度を均一にするのが困難であった。すなわち、例えば、受光面の照度としては、光源が設けられた開口領域の中心側が明るく、隔壁に近い周辺部が暗くなる傾向があり、従来のような平面状の反射面を有した反射部材では、このような照度の偏りを補正することが難しかった。
【０１１２】
＜特徴Ｃ群＞
特徴Ｃ１．
光を照射する光源（発光ダイオード２０１）と、光源からの光を反射する反射部材（リフレクタ２０２）と、この反射部材の前方を覆って光を受ける受光面（リールテープ６４の内面６４Ａ）と、を備えた遊技機であって、
前記反射部材は、前方側に開口する開口領域（２１４）を形成する壁面（隔壁２１３）を有し、前記開口領域の底部に前記光源が配置され、前記光源から照射された光が前記壁面に反射して前記受光面に向かうように構成され、
前記壁面は、前方に向かうにしたがい前記開口領域の中心部から離れる方向に傾斜して設けられるとともに、前記壁面には、前記開口領域における前記壁面に近い周辺方向に向かって反射する反射光を増加させる増光手段が設けられている
ことを特徴とする遊技機。
【０１１３】
本発明群の特徴Ｃ１によれば、光源から照射されて壁面で反射して開口領域の周辺方向に向かう光が増光手段によって増加するので、開口領域の周辺部の受光面が暗くなるのを抑制し、受光面における照度の均一化を図ることができる。
【０１１４】
特徴Ｃ２．
本発明群の特徴Ｃ１に記載の遊技機において、
前記壁面は、後方側に位置する第１反射面部（２１６）と、この第１反射面部よりも前方側に位置する第２反射面部（２１７）と、を有し、
前記増光手段は、前記第２反射面部に設けられている
ことを特徴とする遊技機。
【０１１５】
本発明群の特徴Ｃ２によれば、前方側に位置する第２反射面部に増光手段が設けられていることで、開口領域の周辺方向に向かかう光を効果的に増加させることができる。
【０１１６】
特徴Ｃ３．
本発明群の特徴Ｃ２に記載の遊技機において、
前記増光手段は、前記第２反射面部が前記開口領域の内方に向かって凸となる凸面で形成されることにより構成されている
ことを特徴とする遊技機。
【０１１７】
本発明群の特徴Ｃ３によれば、第２反射面部が開口領域の内方に向かって凸となる凸面で形成されることで、光源からの光を第２反射面部によって開口領域の周辺方向に向かって反射させ、これにより周辺部の受光面における光量を増加させることができる。
【０１１８】
特徴Ｃ４．
本発明群の特徴Ｃ２または特徴Ｃ３に記載の遊技機において、
前記第１反射面部には、前記開口領域の中心方向に向かって反射する反射光を減少させる減光手段が設けられている
ことを特徴とする遊技機。
【０１１９】
本発明群の特徴Ｃ４によれば、光源から照射されて第１反射面部で反射して開口領域の中心方向に向かう光が減光手段によって減少するので、開口領域の中心部の受光面における光量が抑制され、受光面における照度の均一化を図ることができる。
【０１２０】
特徴Ｃ５．
本発明群の特徴Ｃ４に記載された遊技機において、
前記減光手段は、前記第１反射面部が前記開口領域の内方に向かって凹となる凹面で形成されることにより構成されている
ことを特徴とする遊技機。
【０１２１】
本発明群の特徴Ｃ５によれば、第１反射面部が開口領域の内方に向かって凹となる凹面で形成されることで、光源からの光を第１反射面部で反射させた反射光が開口領域の中心方向に向かいにくくなり、これにより中心部の受光面における光量を抑制することができる。
【０１２２】
特徴Ｃ６．
本発明群の特徴Ｃ４または特徴Ｃ５に記載された遊技機において、
前記減光手段は、前記第１反射面部の反射率が前記第２反射面部よりも低く設定されることにより構成されている
ことを特徴とする遊技機。
【０１２３】
本発明群の特徴Ｃ６によれば、第１反射面部の反射率が第２反射面部よりも低く設定されることで、第１反射面部で反射させた反射光の光量を減少させ、これにより中心部の受光面における光量を抑制することができる。
【０１２４】
特徴Ｃ７．
本発明群の特徴Ｃ１から特徴Ｃ６のいずれかに記載された遊技機において、
前記受光面は、回胴式表示装置のリールテープであり、
前記反射部材は、前記リールテープの内側に設けられ、前記開口領域が上下三段に形成されている
ことを特徴とする遊技機。
【０１２５】
本発明群の特徴Ｃ７によれば、回胴式表示装置を有した遊技機であるスロットマシンにおいて、内側から照らされるリールテープの図柄のそれぞれにおける照度を均一化し、遊技者がリールテープを視認する際の違和感を低減することができる。
【０１２６】
このような本発明の特徴Ｃ群によれば、開口領域の周辺部の受光面における光量を増加させ、受光面における照度の均一化を図ることができるので、次のような課題を解決することができる。
【０１２７】
従来、遊技機の代表例として例えばスロットマシンやパチンコ機がある。例えば、スロットマシンは、回胴式表示装置（リールユニット）を備え（例えば、特許文献１参照）、このリールユニットは、それぞれ独立してモータによって回転駆動される左、中、右のリールと、各リールのリールテープ（受光面)を内側から照らす左、中、右のバックライトと、を備えた発光表示部として機能する。各バックライトは、前方側に開口した箱形状の内部が２つの隔壁によって上、中、下の三段の開口領域に仕切られたリフレクタ（反射部材）と、各開口領域の底部に設けられた発光ダイオード（光源）と、を備えている。このようなリールユニットでは、各リールがすべて停止している状態において、左、中、右のバックライトによって照らされた各リールテープの上、中、下の三段の図柄（すなわち３×３＝９個の図柄）が遊技者に視認可能な状態となる。
【０１２８】
しかしながら、従来の発光表示部におけるバックライトでは、反射部材の開口領域を形成する壁面（反射面）が平面からなり、この反射面が一定の反射率を有した材料から構成されることが一般的であり、リールテープ等の受光面における照度を均一にするのが困難であった。すなわち、例えば、受光面の照度としては、光源が設けられた開口領域の中心側が明るく、隔壁に近い周辺部が暗くなる傾向があり、従来のような平面状の反射面を有した反射部材では、このような照度の偏りを補正することが難しかった。
【０１２９】
＜特徴Ｄ群＞
特徴Ｄ１．
回胴式表示装置（リールユニット２１）を備えた遊技機であって、
回胴式表示装置は、
それぞれモータ（ステッピングモータ６２）によって回転駆動される複数のリール（２２）と、
前記複数のリールの各々に設けられてリールテープ（６４）を内側から照らすバックライト（６６）と、を備え、
前記バックライトは、光を照射する光源（発光ダイオード１０１，２０１）と、光源からの光を反射する反射部材（リフレクタ１０２，２０２）と、を備え、
前記反射部材は、前方側に開口するとともに上下三段に仕切られた開口領域（１１４，２１４）を有して形成され、前記開口領域の底部に前記光源が配置され、前記光源から前記リールテープの内面における所定位置に向かう光を減少させる減光手段（凹凸１１９，１２１，１３１、半透明坂１４０、第１反射面部２１６、着色部２２１）が設けられている
ことを特徴とする遊技機。
【０１３０】
本発明群の特徴Ｄ１によれば、光源から照射されてリールテープの内面における所定位置に向かう光を減光手段によって減少させることで、開口領域の中心部や周辺部など任意の位置の光量を抑制することができ、リールテープにおける照度の均一化を図ることができる。
【０１３１】
特徴Ｄ２．
本発明群の特徴Ｄ１に記載の遊技機において、
前記反射部材は、前記開口領域を仕切る隔壁を有し、前記隔壁の前端縁は、前記リールテープの内面と離隔した位置に設けられ、隣り合う前記開口領域の前記光源から照射された光が前記リールテープの内面で重なって重なり部（Ｌ）を形成し、
前記減光手段（凹凸１１９，１２１，１３１、半透明坂１４０）は、前記光源と前記隔壁の前端縁とを結ぶ直線上に設けられ、前記重なり部に向かう光を減少させる
ことを特徴とする遊技機。
【０１３２】
本発明群の特徴Ｄ２によれば、光源から照射されて隔壁の前端縁に向かう光が減光手段によって減少するので、隣り合う開口領域の光源からの光が重なる重なり部の光量が抑制され、リールテープにおける照度の均一化を図ることができる。
【０１３３】
特徴Ｄ３．
本発明群の特徴Ｄ２に記載の遊技機において、
前記減光手段は、
複数の凹凸（１１９，１２１，１３１）が形成された凹凸面で構成されるか、または、
前記光源からの光を部分的に透過させる半透過部（半透明坂１４０）で構成される
ことを特徴とする遊技機。
【０１３４】
本発明群の特徴Ｄ３によれば、減光手段が凹凸面で構成され、その凹凸を通過した光が受光面で重なることで、重なり部の光量を抑制することができる。また、減光手段が半透過部で構成され、半透過部を通過した光が受光面で重なることで、重なり部の光量を抑制することができる。
【０１３５】
特徴Ｄ４．
本発明群の特徴Ｄ１から特徴Ｄ３のいずれかに記載の遊技機において、
前記反射部材は、前記開口領域を形成する壁面を有し、前記壁面（２２０）は、前方に向かうにしたがい前記開口領域の中心部から離れる方向に傾斜して設けられ、
前記減光手段（第１反射面部２１６、着色部２２１）は、前記壁面における後方側に設けられ、前記開口領域の中心方向に向かって反射する反射光を減少させる
ことを特徴とする遊技機。
【０１３６】
本発明群の特徴Ｄ４によれば、光源から照射されて壁面で反射して開口領域の中心方向に向かう光が減光手段によって減少するので、開口領域の中心部の光量が抑制され、リールテープにおける照度の均一化を図ることができる。
【０１３７】
特徴Ｄ５．
本発明群の特徴Ｄ４に記載の遊技機において、
前記減光手段は、前記壁面の後方側に設けられて前記開口領域の内方に向かって凹となる凹面で形成されることにより構成されている
ことを特徴とする遊技機。
【０１３８】
本発明群の特徴Ｄ５によれば、第１反射面部が開口領域の内方に向かって凹となる凹面で形成されることで、光源からの光を第１反射面部で反射させた反射光が開口領域の中心方向に向かいにくくなり、これにより中心部の受光面における光量を抑制することができる。
【０１３９】
特徴Ｄ６．
本発明群の特徴Ｄ４または特徴Ｄ５に記載の遊技機において、
前記壁面の前方側には、前記開口領域における前記壁面に近い周辺方向に向かって反射する反射光を増加させる増光手段（第２反射面部２１７）が設けられている
ことを特徴とする遊技機。
【０１４０】
本発明群の特徴Ｄ６によれば、壁面の前方側で反射して開口領域の周辺方向に向かう光が増光手段によって増加するので、開口領域の周辺部の受光面が暗くなるのを抑制し、受光面における照度の均一化を図ることができる。
【０１４１】
特徴Ｄ７．
本発明群の特徴Ｄ６に記載の遊技機において、
前記増光手段は、前記壁面の前方側に設けられて前記開口領域の内方に向かって凸となる凸面で形成されることにより構成されている
ことを特徴とする遊技機。
【０１４２】
本発明群の特徴Ｄ７によれば、増光手段が開口領域の内方に向かって凸となる凸面で形成されることで、光源からの光を凸面によって開口領域の周辺方向に向かって反射させ、これにより周辺部の受光面における光量を増加させることができる。
【０１４３】
このような本発明の特徴Ｄ群によれば、発光表示部の受光面における照度の均一化を図ることができるので、次のような課題を解決することができる。
【０１４４】
従来、遊技機の代表例として例えばスロットマシンやパチンコ機がある。例えば、スロットマシンは、回胴式表示装置（リールユニット）を備え（例えば、特許文献１参照）、このリールユニットは、それぞれ独立してモータによって回転駆動される左、中、右のリールと、各リールのリールテープ（受光面)を内側から照らす左、中、右のバックライトと、を備えた発光表示部として機能する。各バックライトは、前方側に開口した箱形状の内部が２つの隔壁によって上、中、下の三段の開口領域に仕切られたリフレクタ（反射部材）と、各開口領域の底部に設けられた発光ダイオード（光源）と、を備えている。このようなリールユニットでは、各リールがすべて停止している状態において、左、中、右のバックライトによって照らされた各リールテープの上、中、下の三段の図柄（すなわち３×３＝９個の図柄）が遊技者に視認可能な状態となる。
【０１４５】
しかしながら、従来の発光表示部におけるバックライトでは、反射部材の開口領域を形成する壁面（反射面）が平面からなり、この反射面が一定の反射率を有した材料から構成されることが一般的であり、リールテープ等の受光面における照度を均一にするのが困難であった。すなわち、例えば、隣り合う開口領域の光源からの光が隔壁によって遮断されると、隔壁の前方における受光面に線状の影が生じ、一方、隣り合う開口領域の光源からの光が隔壁の前端縁を通過して重なるようにすると、隔壁の前方における受光面に周囲よりも明るい線状の部分ができてしまう。また、受光面の照度としては、光源が設けられた開口領域の中心側が明るく、隔壁に近い周辺部が暗くなる傾向があり、従来のような平面状の反射面を有した反射部材では、このような照度の偏りを補正することが難しかった。
本発明の目的は、発光表示部の受光面における照度の均一化を図ることができる遊技機を提供することである。
【０１４６】
＜特徴Ｅ群＞
特徴Ｅ１．
光を照射する光源（発光ダイオード２０１）と、光源からの光を反射する反射部材（リフレクタ２０２）と、この反射部材の前方を覆って光を受ける受光面（リールテープ６４の内面６４Ａ）と、を備えた遊技機であって、
前記反射部材は、前方側に開口する開口領域（２１４）を形成する壁面（隔壁２１３）を有し、前記開口領域の底部に前記光源が配置され、前記光源から照射された光が前記壁面に反射して前記受光面に向かうように構成され、
前記壁面は、前方に向かうにしたがい前記開口領域の中心部から離れる方向に傾斜して設けられるとともに、後方側に位置する第１反射面部（２１６）と、この第１反射面部よりも前方側に位置する第２反射面部（２１７）と、を有し、
前記第１反射面部と前記第２反射面部とは、互いの反射率および反射方向の少なくとも一方が相違することで反射光の強さを調整する調光手段を有して構成されている
ことを特徴とする遊技機。
【０１４７】
本発明群の特徴Ｅ１によれば、光源から照射されて壁面の第１反射面部および第２反射面部で反射して受光面に向かう光が調光手段によって調整されるので、開口領域の中心部と周辺部との受光面における光量が調整され、受光面における照度の均一化を図ることができる。
【０１４８】
特徴Ｅ２．
本発明群の特徴Ｅ１に記載された遊技機において、
前記第１反射面部には、前記開口領域の中心方向に向かって反射する反射光を減少させる減光手段が設けられている
ことを特徴とする遊技機。
【０１４９】
本発明群の特徴Ｅ２によれば、第１反射面部で反射して開口領域の中心方向に向かう光が減光手段によって減少するので、開口領域の中心部の受光面における光量が抑制され、受光面における照度の均一化を図ることができる。
【０１５０】
特徴Ｅ３．
本発明群の特徴Ｅ２に記載された遊技機において、
前記減光手段は、前記第１反射面部が前記開口領域の内方に向かって凹となる凹面で形成されることにより構成されている
ことを特徴とする遊技機。
【０１５１】
本発明群の特徴Ｅ３によれば、第１反射面部が開口領域の内方に向かって凹となる凹面で形成されることで、光源からの光を第１反射面部で反射させた反射光が開口領域の中心方向に向かいにくくなり、これにより中心部の受光面における光量を抑制することができる。
【０１５２】
特徴Ｅ４．
本発明群の特徴Ｅ１から特徴Ｅ３のいずれかに記載の遊技機において、
前記第２反射面部には、前記開口領域における前記壁面に近い周辺方向に向かって反射する反射光を増加させる増光手段が設けられている
ことを特徴とする遊技機。
【０１５３】
本発明群の特徴Ｅ４によれば、第２反射面部で反射して開口領域の周辺方向に向かう光が増光手段によって増加するので、開口領域の周辺部の受光面が暗くなるのを抑制し、受光面における照度の均一化を図ることができる。
【０１５４】
特徴Ｅ５．
本発明群の特徴Ｅ４に記載の遊技機において、
前記増光手段は、前記第２反射面部が前記開口領域の内方に向かって凸となる凸面で形成されることにより構成されている
ことを特徴とする遊技機。
【０１５５】
本発明群の特徴Ｅ５によれば、第２反射面部が開口領域の内方に向かって凸となる凸面で形成されることで、光源からの光を第２反射面部によって開口領域の周辺方向に向かって反射させ、これにより周辺部の受光面における光量を増加させることができる。
【０１５６】
このような本発明の特徴Ｅ群によれば、開口領域の中心部と周辺部との受光面における光量が調整され、受光面における照度の均一化を図ることができるので、次のような課題を解決することができる。
【０１５７】
従来、遊技機の代表例として例えばスロットマシンやパチンコ機がある。例えば、スロットマシンは、回胴式表示装置（リールユニット）を備え（例えば、特許文献１参照）、このリールユニットは、それぞれ独立してモータによって回転駆動される左、中、右のリールと、各リールのリールテープ（受光面)を内側から照らす左、中、右のバックライトと、を備えた発光表示部として機能する。各バックライトは、前方側に開口した箱形状の内部が２つの隔壁によって上、中、下の三段の開口領域に仕切られたリフレクタ（反射部材）と、各開口領域の底部に設けられた発光ダイオード（光源）と、を備えている。このようなリールユニットでは、各リールがすべて停止している状態において、左、中、右のバックライトによって照らされた各リールテープの上、中、下の三段の図柄（すなわち３×３＝９個の図柄）が遊技者に視認可能な状態となる。
【０１５８】
しかしながら、従来の発光表示部におけるバックライトでは、反射部材の開口領域を形成する壁面（反射面）が平面からなり、この反射面が一定の反射率を有した材料から構成されることが一般的であり、リールテープ等の受光面における照度を均一にするのが困難であった。すなわち、例えば、受光面の照度としては、光源が設けられた開口領域の中心側が明るく、隔壁に近い周辺部が暗くなる傾向があり、従来のような平面状の反射面を有した反射部材では、このような照度の偏りを補正することが難しかった。
【０１５９】
以上のように、本発明は、スロットマシン、パチンコ遊技機等の遊技機に好適に利用できる。
【符号の説明】
【０１６０】
１０      スロットマシン（遊技機）
２１      リールユニット（回胴式表示装置）
２２      リール
６２      ステッピングモータ
６４      リールテープ
６４Ａ    内面（受光面）
６６      バックライト
１０１      発光ダイオード（光源）
１０２      リフレクタ（反射部材）
１１３      隔壁
１１４      開口領域
１１８      段部
１１９      凹凸（減光手段）
１２０      立壁
１２１      凹凸（減光手段）
１３０      突出部
１３１      凹凸（減光手段）
１４０      半透明坂（減光手段）
２０１      発光ダイオード（光源）
２０２      リフレクタ（反射部材）
２１３      隔壁
２１４      開口領域
２１６      第１反射面部（減光手段）
２１７      第２反射面部（増光手段）
２２０      壁面
２２１      着色部（減光手段）
３０１      発光ダイオード（光源）
３０２      リフレクタ（反射部材）
３１３      隔壁
３１４      開口領域
３１８      段部
【図１】
2019118403.tif 000003
【図２】
2019118403.tif 000004
【図３】
2019118403.tif 000005
【図４】
2019118403.tif 000006
【図５】
2019118403.tif 000007
【図６】
2019118403.tif 000008
【図７】
2019118403.tif 000009
【図８】
2019118403.tif 000010
【図９】
2019118403.tif 000011
【図１０】
2019118403.tif 000012
【図１１】
2019118403.tif 000013
【図１２】
2019118403.tif 000014
【図１３】
2019118403.tif 000015
【図１４】
2019118403.tif 000016
【図１５】
2019118403.tif 000017
【図１６】
2019118403.tif 000018
【図１７】
2019118403.tif 000019
【図１８】
2019118403.tif 000020
【図１９】
2019118403.tif 000021
【図２０】
2019118403.tif 000022